(57)【要約】      （修正有）【課題】けん玉の試技中に生じる糸の捩れは試技の失敗の原因になることがある。この糸の捩れを除去するためのけん軸構造を有するけん玉を提供する。【解決手段】けん玉の糸２３のけん側先端に回転可能な糸留め具２９を取り付け、糸をけんのけん軸２４に設けた溝２７に通して、溝の先にある糸留め具の収容穴２８に糸留め具を設置する。糸の捩れが生じた時に、糸の復元性によって糸と糸留め具が回転して糸の捩れが除去される。【選択図】図７
0003218641.tif 000002
【実用新案登録請求の範囲】
【請求項１】
大きさの異なる３個の皿を有するけん玉において、けんのけん軸に糸の通る溝と糸留め具の収容穴が設けられていて、けん側の糸の先端に回転可能な糸留め具を付けて、この糸留め具が前述の収容穴に収められているけん玉。
【請求項２】
同じ大きさの２個の皿を有するけん玉において、けんのけん軸に糸の通る溝と糸留め具の収容穴が設けられていて、けん側の糸の先端に回転可能な糸留め具を付けて、この糸留め具が前述の収容穴に収められているけん玉。
【請求項３】
同じ大きさの３個の皿を有するけん玉において、けんのけん軸に糸の通る溝と糸留め具の収容穴が設けられていて、けん側の糸の先端に回転可能な糸留め具を付けて、この糸留め具が前述の収容穴に収められているけん玉。
【考案の詳細な説明】
【技術分野】
【０００１】
本考案は、けん玉に関するものである。
【背景技術】
【０００２】
従来のけん玉は図１に示すように、大皿（７）と小皿（８）を有する皿胴（５）と、けん先（６）と中皿（９）を有するけん軸（４）が十字形に嵌め込まれているけん（１）と、けん先（６）が入る穴（１２）を有する玉（２）が、糸（３）で繋がっている遊具または競技用具であり、また、けん玉は、けん（１）と玉（２）を操って技という動作（以下試技と記す）を行なって、その試技が規定の成功の形で終わったか、それとも不成功すなわち失敗で終わったかで試技結果の判定を行なう遊びまたは競技である。試技の成功失敗に関わる要素は複数あるが、その一つに、けん玉の構造的特性があり、試技が成功し易い構造、換言すれば、失敗の原因が少ない構造がけん玉に対して求められる。
【０００３】
けん玉の技の開始動作にはいくつもの種類があるが、代表的なものとして、けんを片手で保持して糸に繋がった玉を空中に放つ動作と、玉を片手で保持してけんを空中に放つ動作があり、何れの場合も空中に放たれた玉またはけんは回転運動をして、図２に示すような糸の捩れ（１０）が生じることがある。この捩れはけんまたは玉の自然な動きを妨げて、試技を失敗させる原因に成り得るものである。この糸の捩れを除去する構造が玉の中にある。
【０００４】
玉の構造と糸の捩れの除去について説明する。図３は図１の玉の切断位置Ａ−Ａの断面図で、玉の内部構造を示す。糸（３）は玉の糸穴（１１）から玉の中に入り、けん先（図１の６）の入る穴（１２）の底部に至り、糸留め具のビーズ（１３）が挿入されて  終端がたまこぶ（１４）になっている。ビーズは糸と一体になって玉を支持する役目をするが、糸の捩れを除去する働きもある。すなわち、糸穴（１１）は円形で、その直径は捩れた糸が自由に回転できる大きさになっており、また、ビーズのある穴はけん先の入る穴（１２）なので、ビーズの直径より相当に大きく、糸の捩れがある場合に糸の復元性によって糸とビーズが回転して糸の捩れが除去される。
【０００５】
しかし、連続技や繰返し技など、玉やけんを操る動作数が多い技を行う場合には、玉またはけんの回転動作が増えて糸の捩れが多くなり、玉の中の糸留め具から除去し切れないことが起こる。特にけん側に近い糸の部分に生じた捩れは玉から離れているために除去されずに残り易い。この糸の捩れが試技の失敗の原因になることがある。
【０００６】
従来のけん玉において、けん側の糸の末端部分は、けん軸に固定された状態になっていて、糸の捩れを除去する構造になっていない。その糸の固定状態を図４と切断位置Ｂ−Ｂの断面の図５に示す。糸（３）は皿胴（５）の糸穴（１５）から嵌め合い部分に入り、けん軸（４）の糸穴（１６）を通って糸のたまこぶ（１７）で終端をなしている。糸穴（１６）に入る直前の糸は嵌め合い部分の隙間に押圧されていて動かず、糸はそこで固定された状態になっている。
【先行技術文献】
【特許文献】
【０００７】
【特許文献１】特開２０１８−０００７４２号公報
【特許文献２】特開２００２−３４６０１１号公報
【非特許文献】
【０００８】
【非特許文献１】監修  白澤卓二  公益社団法人日本けん玉協会  「脳が目覚める！    けん玉レッスン」（株）主婦と生活社  ２０１５年４月２７日  １刷発行
【考案の概要】
【考案が解決しようとする課題】
【０００９】
従来のけん玉において、連続技や繰返し技など、玉やけんを操る動作数が多い技を行う場合に、玉またはけんの回転動作が増えて糸の捩れが多くなり、玉の中の糸留め具から捩れを除去し切れないことが起こる。特にけん側に近い糸の部分に生じた捩れは玉から離れているために除去されずに残り易い。この糸の捩れが試技の失敗の原因になることがある。本考案は、このような糸の捩れを除去するためになされたものである。
【課題を解決するための手段】
【００１０】
本考案は、糸の捩れを除去することのできる構造をけんのけん軸に設けることによって課題の解決を図るものである。
【００１１】
図６は本考案に関わるけん軸（２４）を含むけん（２１）の全体図である。玉の外にある糸（２３）は、けん（２１）の十字形部分をなす皿胴（２５）の中央上部から突出しているけん先（２６）の根本にある糸の通る溝（２７）（以下溝と記す）を通って皿胴（２５）に隠れた部分に入っている。けん（２１）には正面と裏面があるが、図のように糸の入る側を裏面としており、溝（２７）の位置はこの裏面のけん軸中心線上にある。なお、図に示す通り、糸はけん軸の溝に直接入るので、従来の皿胴にあった糸穴（図４の１５）はこの皿胴（２５）にはない。
【００１２】
図６の皿胴に隠れている溝の部分を含むけん軸部分の構造を、皿胴を外してけん軸だけを示す次の図で説明する。図７と切断位置Ｃ−Ｃの断面を示す図８において、けん側の糸（２３）はけん軸（２４）に設けられた溝（２７）を通って、溝より大きい穴（２８）（以下糸留め具の収容穴または収容穴と記す）に至り、そこで糸留め具（２９）が挿入されて、たまこぶ（３０）が作られて終端を成している。糸留め具には、ビーズのように円形で、中央に糸を通して糸と共に回転できるものを使用する。図中の破線部分は嵌め込みの皿胴（２５）の位置を示している。
【００１３】
このようにしてけん軸に設置された糸と糸留め具は、玉とけんの繋がりを維持すると共に、玉またはけんが空中にある時に周囲と無接触の浮遊状態になることがあり、その際、糸の捩れがあれば、糸の復元性によって回転して捩れを除去する。
【考案の効果】
【００１４】
本考案のけんを含むけん玉は、糸の捩れを除去する糸留め具が玉とけんの２か所に付いているので、試技中に生じた糸の捩れは殆ど除去され、従って、試技における失敗の原因が減少することになり、試技の成功率の上昇が期待できる。
【００１５】
けん玉の技の修得には多大な練習量が求められるが、初段階では失敗が多く、その分、糸の捩れが多くなる。従来のけん玉においては試技の合間に糸の捩れをとる動作を使用者自身が頻繁に行なうことになり、相当の時間的ロスが生じる。本考案を含むけん玉では、糸の捩れが減少するので、使用者自身の捩れを除去する動作が減り、練習の効率向上が期待できる。
【００１６】
本考案では、皿胴はけん軸のまわりで回転させて自由に位置決めできる。皿胴の位置を１８０度回転させれば左右の皿の位置が入れ換わるので、けん玉使用者の利き手の違いによる、けんの持ち手の左右違いに対して容易に対応できる。
【図面の簡単な説明】
【００１７】
【図１】従来のけん玉の全体図である。
【図２】試技中に糸のねじれが生じている図である。
【図３】図１の玉の切断位置Ａ−Ａの断面と糸留め具の図である。
【図４】従来のけん玉のけんの十字形部分の図である。
【図５】図４の切断位置Ｂ−Ｂの断面図である。
【図６】本考案のけんの全体図である。
【図７】本考案の構造を含むけん軸の部分の図である。
【図８】図７の切断位置Ｃ−Ｃの断面と糸留め具の図である。
【図９】本考案のけんにおいて皿胴とけん軸をビスで固定した図である。
【図１０】図９の切断位置Ｄ−Ｄの断面図である。
【図１１】本考案の実施例２の図である。
【図１２】図１１のの切断位置Ｅ−Ｅの断面と糸留め具の図である。
【考案を実施するための形態】
【００１８】
前出の図７と切断位置Ｃ−Ｃの断面を示す図８を用いて、本考案について更に詳しく説明する。図中の破線部分は嵌め込みの皿胴（２５）の位置を示す。糸の通る溝（２７）の一部と糸留め具の収容穴（２８）の全部は皿胴（２５）に嵌め込まれた部分の範囲内にあり、皿胴（２５）の穴部分が収容穴（２８）を覆う壁になっている。溝（２７）の端部分で皿胴（２５）に入っている部分の巾と深さは、捩れた糸が自由に回転できる大きさになっており、収容穴（２８）の大きさも糸（２３）と糸留め具（２９）が一体になって自由に回転できる広さになっている。
【００１９】
収容穴内で回転する糸留め具（２９）の直径は溝（２７）の幅より大きいものとし、溝口で止まるようにする。それにより、糸（２３）と糸留め具（２９）は、玉またはけんを手でぶら下げた時の支持体になり、糸の張力を利用する従来のけん玉と同じ技が行なえる。
【００２０】
けん軸に糸留め具の収容穴（２８）を設けるにあたり、その寸法は収容穴の壁の厚さと底の厚さが薄くなり過ぎて折損の原因にならないようにする。即ち、糸留め具の収容穴（２８）の加工部分のけん軸の強度を考慮して糸留め具の選定とその収容穴の設計がなされる。
【００２１】
けん軸（２４）と皿胴（２５）の嵌め込み部分は通常の試技中に緩むことのない構造になっている。すなわち、嵌め込み部分はけん先（２６）に近くなる程細くなる形状であり、けん軸は糸留め具（２９）と糸によって嵌め込みの度合いを強める方向に引っ張られる。
【００２２】
けん玉の皿胴とけん軸が木製の場合、乾燥などで嵌め込みが緩むことがある。その対策として、ビスで皿胴をけん軸に固定できる。図９と切断位置Ｄ−Ｄの断面である図１０に示すように、皿胴（５２）の裏面側からけん軸（５３）に向かってビス（５１）を打ち込む。ビス止めの位置は、糸留め具の収容穴（５４）に隣接する無加工部分にする。
【実施例１】
【００２３】
本考案の実施例１として、図７と図８で提示されている、けん軸（２４）に設けられた糸の通る溝（２７）と糸留め具の収容穴（２８）について説明する。このけん軸の全長は１６０ミリ、皿胴（２５）との嵌め込み部分の両端における直径は細い方（溝のある側）が１１．０ミリ、太い方が１２．０ミリである。糸（２３）の太さは約１．２ミリである。糸留め具（２９）には金属ビーズが使われており、その寸法は外径５．０ミリ、内径１．２ミリ、厚さ２．５ミリである。
【００２４】
けん軸に設けられた加工部の寸法は次の通りである。糸の通る溝（２７）については、糸留め具の穴への出口となる部分の巾は２．５ミリで、深さは６．０ミリである。けん軸表面での溝の長さは約１０ミリであり、溝の全長に亘る深さは６．０ミリ〜０ミリで断面図の図８では三角形になっている。糸留め具の収容穴（２８）は、直径７．０ミリの半円２個を両端に向き合わせて、その間に長さ３．０ミリの空間を加えた形の穴で、巾は最大７．０ミリ、長さは最大１０．０ミリ、深さは７．０ミリである。穴の両側の壁の厚さは最大２．０ミリであり、穴の底部分の厚さは最大４．０ミリである。皿胴の貫通穴に入っている溝の長さは約２ミリである。なお図中の破線部分は皿胴（２５）の位置を示す。
【実施例２】
【００２５】
本考案の実施例２を図１１と切断位置Ｅ−Ｅの断面である図１２に示す。実施例１との差異の部分である、糸留め具（３９）と糸留め具の収容穴（３８）について説明する。糸留め具（３９）にはミニチュアベアリングが使われており、その寸法は外径５．０ミリ、内径２．０ミリ、厚さ２．５ミリである。糸留め具の収容穴（３８）の形状と寸法は、糸（３３）の通る溝（３７）とつながる部分が逆コの字形で直線巾７．０ミリ、向い反対側は直径７．０ミリの半円形、穴のけん軸面の長さ最大１０．０ミリ、穴の深さ７．０ミリである。穴の両側の直線部分の壁の厚さは最大２．０ミリであり、穴の底部分の厚さは最大４．０ミリである。皿胴の貫通穴に入っている溝の長さは約２ミリである。なお図中の破線部分は皿胴（３５）の位置を示す。
【００２６】
使用されているミニチュアベアリングは、外径部分が収容穴の壁に接触していても、糸を通した内径部分が自由に回転するので、糸の捩れの除去能力が高く、連続技や繰返し技を含む難度の高い技を行なう場合に適している。
【符号の説明】
【００２７】
１  けん
２  玉
３  糸
４  けん軸
５  皿胴
６  けん先
７  大皿
８  小皿
９  中皿
１０  糸のねじれ
１１  玉の糸穴
１２  けん先の入る穴
１３  糸留め具のビーズ
１４  糸のたまこぶ
１５  皿胴の糸穴
１６  けん軸の糸穴
１７  けん軸側の糸のたまこぶ
２１  本考案における  けん
２３  本考案における  糸
２４  本考案における  けん軸
２５  本考案における  皿胴
２６  本考案における  けん先
２７  本考案における  糸の通る溝
２８  本考案における  糸留め具の収容穴
２９  本考案における  糸留め具
３０  本考案における  糸のたまこぶ
３３  本考案の実施例２における  糸
３４  本考案の実施例２における  けん軸
３５  本考案の実施例２における  皿胴
３７  本考案の実施例２における  糸の通る溝
３８  本考案の実施例２における  糸留め具の収容穴
３９  本考案の実施例２における  糸留め具
４０  本考案の実施例２における  糸のたまこぶ
５１  ビス  
５２  皿胴
５３  けん軸
５４  糸留め具の収容穴
【図１】
0003218641.tif 000003
【図２】
0003218641.tif 000004
【図３】
0003218641.tif 000005
【図４】
0003218641.tif 000006
【図５】
0003218641.tif 000007
【図６】
0003218641.tif 000008
【図７】
0003218641.tif 000009
【図８】
0003218641.tif 000010
【図９】
0003218641.tif 000011
【図１０】
0003218641.tif 000012
【図１１】
0003218641.tif 000013
【図１２】
0003218641.tif 000014
【手続補正書】
【提出日】平成30年9月3日(2018.9.3)
【手続補正１】
【補正対象書類名】実用新案登録請求の範囲
【補正対象項目名】全文
【補正方法】変更
【補正の内容】
【実用新案登録請求の範囲】
【請求項１】
大きさの異なる３個の皿を有するけん玉において、けんのけん軸に糸の通る溝と糸留め具の収容穴が設けられていて、けん側の糸の先端に、ビーズのように円形で中央に糸を通して糸と共に回転できる糸留め具を付けて、この糸留め具が前述の収容穴に収められているけん玉。
【請求項２】
同じ大きさの２個の皿を有するけん玉において、けんのけん軸に糸の通る溝と糸留め具の収容穴が設けられていて、けん側の糸の先端に、ビーズのように円形で中央に糸を通して糸と共に回転できる糸留め具を付けて、この糸留め具が前述の収容穴に収められているけん玉。
【請求項３】
同じ大きさの３個の皿を有するけん玉において、けんのけん軸に糸の通る溝と糸留め具の収容穴が設けられていて、けん側の糸の先端に、ビーズのように円形で中央に糸を通して糸と共に回転できる糸留め具を付けて、この糸留め具が前述の収容穴に収められているけん玉。